(57)【特許請求の範囲】
【請求項１】
ポリエチレン樹脂に水酸化マグネシウムを添加した外被を有する難燃性ケーブルの梱包方法であって、
胴部と該胴部の軸方向両端に形成される鍔部とを有する船舶輸送用木製ドラムに対し、前記胴部の表面と前記鍔部の内側の面とに発泡体からなる防水部材を貼りつける工程と、
前記防水部材が貼り付けられた前記木製ドラムの前記胴部に、難燃性ケーブルを巻き付ける工程と、
前記木製ドラムに巻き付けられた前記難燃性ケーブルの表面に乾燥材を貼り付けて、前記難燃性ケーブルおよび前記乾燥材と前記鍔部の内側の面とを覆うように防水シートを巻き付ける工程と、を有する難燃性ケーブルの梱包方法。
【請求項２】
前記発泡体は、架橋ポリエチレン発泡体である、請求項１に記載の難燃性ケーブルの梱包方法。
【発明の詳細な説明】
【技術分野】
【０００１】
本発明は、難燃性ケーブルの梱包方法に関する。
【背景技術】
【０００２】
光ケーブルや電気ケーブルの結露を防ぐ技術として、例えば、特許文献１には、回転ドラムを覆うように保護カバーが被せられ、保護カバーに設けられたパージ口から乾燥ガスを封入して、排出口から乾燥ガスを排出することで結露を防ぐケーブル巻取り収納装置が開示されている。また、特許文献２には、電気ケーブルを構成するケーブルシースの外周に断熱層を設けて結露を防止する結露防止ケーブルが開示されている。
【先行技術文献】
【特許文献】
【０００３】
【特許文献１】特開平１０−８７１６７号公報
【特許文献２】実開平２−７６４２３号公報
【発明の概要】
【発明が解決しようとする課題】
【０００４】
難燃性の光ケーブルなどの難燃性ケーブルは、出荷する際には輸送用の大型のドラムに巻いて出荷を行っている。輸送用の大型のドラムは、樹脂では大型のドラムが作れないため、通常木製ドラムが用いられる。出荷の際には、木製ドラムに難燃性ケーブルを巻き、ケーブルを巻いた木製ドラムの両側の鍔部に、周方向へわたって複数の小割板を釘で打ち付け、胴部に巻かれたケーブルを囲っている。
【０００５】
このような難燃性ケーブルが巻かれた木製ドラムを遠隔地へ輸出する場合などは、通常コンテナに入れ、船舶輸送を実施している。船舶輸送では、輸送中に気温や湿度が高い地域を通過する場合があり、この際、船内およびコンテナ内が高温、高湿度状態となる場合がある。そして、この際、昼夜の温度差等により、木製ドラムに含まれる水分や大気中の水分が結露してケーブル表面に付着する。
【０００６】
難燃性ケーブルには、外被の成分として例えば水酸化マグネシウムが使われており、これが水分と反応すると炭酸マグネシウムとなり、白くなることが確認されている。このため、難燃性ケーブルでは、上記のように水分がケーブル表面に付着すると、外被材料の水酸化マグネシウムと反応して炭酸マグネシウムが生成され、外被が白化し、外観不良となる。
【０００７】
上記のような船舶輸送時の結露を防ぐために、上記特許文献１の収納装置を用いた場合は、輸送する大型の木製ドラム毎に、これを覆うような大型の収納装置がそれぞれ必要となる。船舶輸送時には、通常、多数の木製ドラムを輸送するため、多数の収納装置および大量の乾燥ガスが必要となり現実的ではない。また、上記特許文献２のように、ケーブルそのものに断熱層を設けることも、困難である。
【０００８】
そこで、本発明の目的は、難燃性ケーブルを出荷する際に巻く木製ドラムに含まれる水分、大気中の水分が結露し、ケーブル表面に付着するのを防止することができる難燃性ケーブルの梱包方法を提供することにある。
【課題を解決するための手段】
【０００９】
本発明の一態様に係る難燃性ケーブルの梱包方法は、ポリエチレン樹脂に水酸化マグネシウムを添加した外被を有する難燃性ケーブルの梱包方法であって、
胴部と該胴部の軸方向両端に形成される鍔部とを有する船舶輸送用木製ドラムに対し、前記胴部の表面と前記鍔部の内側の面とに発泡体からなる防水部材を貼りつける工程と、
前記防水部材が貼り付けられた前記木製ドラムの前記胴部に、難燃性ケーブルを巻き付ける工程と、
前記木製ドラムに巻き付けられた前記難燃性ケーブルの表面に乾燥材を貼り付けて、前記難燃性ケーブルおよび前記乾燥材と前記鍔部の内側の面とを覆うように防水シートを巻き付ける工程と、を有する。
【発明の効果】
【００１０】
本発明によれば、難燃性ケーブルを出荷する際に巻く木製ドラムに含まれる水分、大気中の水分が結露し、ケーブル表面に付着するのを防止することができる。
【図面の簡単な説明】
【００１１】
【図１】本実施形態の難燃性ケーブルの梱包方法で使用する木製ドラムの斜視図である。
【図２】図１の木製ドラムに対して、防水部材を貼りつけた後の状態を示す斜視図である。
【図３】図２の状態の木製ドラムに対して、胴部に難燃性ケーブルを巻き付けた後の状態を示す斜視図である。
【図４】図３の状態の木製ドラムに対して、難燃性ケーブルの表面に乾燥材を貼り付けた後の状態を示す斜視図である。
【図５】図４の状態の木製ドラムに対して、防水シートを巻き付けた後の状態を示す斜視図である。
【図６】図５の状態の木製ドラムに対して、小割板で覆われて梱包が完了した状態を示す斜視図である。
【発明を実施するための形態】
【００１２】
［本発明の実施形態の説明］
最初に本発明の実施形態を列記して説明する。
本発明の実施形態に係る難燃性ケーブルの梱包方法は、
（１）  ポリエチレン樹脂に水酸化マグネシウムを添加した外被を有する難燃性ケーブルの梱包方法であって、
胴部と該胴部の軸方向両端に形成される鍔部とを有する船舶輸送用木製ドラムに対し、前記胴部の表面と前記鍔部の内側の面とに発泡体からなる防水部材を貼りつける工程と、
前記防水部材が貼り付けられた前記木製ドラムの前記胴部に、難燃性ケーブルを巻き付ける工程と、
前記木製ドラムに巻き付けられた前記難燃性ケーブルの表面に乾燥材を貼り付けて、前記難燃性ケーブルおよび前記乾燥材と前記鍔部の内側の面とを覆うように防水シートを巻き付ける工程と、を有する。
【００１３】
木製ドラムには、その胴部の表面と鍔部の内側の面とに発泡体からなる防水部材が貼りつけられているので、木製ドラムに含まれる水分が、難燃性ケーブルを巻き付ける部分に出てくることを防止できる。また、難燃性ケーブルの上から防水シートを巻き付けた状態となるので、大気中の水分が結露し、難燃性ケーブルの表面に付着するのを防止することができる。
また、防水シートと難燃性ケーブルとの間に乾燥材があるので、防水シート内を乾燥した状態に保つことができる。これらにより、安価な方法で、難燃性ケーブルを出荷する際に巻く木製ドラムに含まれる水分、大気中の水分が結露し、難燃性ケーブルの表面に付着するのを防止することができる。
【００１４】
（２）  （１）の難燃性ケーブルの梱包方法において、前記発泡体は、架橋ポリエチレン発泡体である。
防水部材の発泡体が架橋ポリエチレン発泡体であるので、発泡スチレン（発泡スチロール）等の発泡体に比べ、吸水性、吸湿性に優れており、且つ、柔軟で曲げやすく、容易に加工することができる。
【００１５】
［本発明の実施形態の詳細］
本発明の実施形態に係る難燃性ケーブルの梱包方法の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１６】
本実施形態の難燃性ケーブルの梱包方法は、製造された難燃性ケーブル（例えば、難燃性の光ケーブルなど）を出荷する際に、輸送用の大型（例えば、径が約１ｍ以上など）のドラムに巻きつけて梱包を行う方法である。
樹脂などの素材では大型のドラムを作れないため、輸送用の大型のドラムとしては、通常、図１に示すような木製ドラム１が用いられる。図１に示すように、木製ドラム１は、円筒状の木製の胴部２と、この胴部２の軸方向両端に、例えば木製の円板を嵌め込むようにして形成された木製の鍔部３とを有している。
以下、図１から図６を参照しつつ、本実施形態の難燃性ケーブルの梱包方法の手順を説明する。
【００１７】
（第一工程）
図２は、木製ドラム１において、防水部材４を貼りつけた後の状態を示す図である。
図１で示した木製ドラム１に対し、図２に示すように、数ｍｍ（例えば、５ｍｍ）厚の発泡体からなるシート状の防水部材４（例えば、架橋ポリエチレン発泡体）を、胴部２の表面２ａと、両端の鍔部３の内側の面３ａとに、それぞれ貼り付ける。このとき、１枚の防水部材４で上記の面を全て覆うのは難しいので、複数枚の防水部材４を貼り付けて、防水部材４同士を接合させる。この接合部に隙間が生じるため、ガラステープ５を貼るなどして隙間を塞ぎ、防水部材４の隙間からの水分の侵入を防ぐ。
【００１８】
（第二工程）
図３は、図２の状態の木製ドラム１に対して、胴部２に難燃性ケーブルを巻き付けた後の状態を示す図である。
前記第一工程により防水部材４を貼った木製ドラム１に、図３に示すように、所定の長さ（例えば、約３０００ｍ〜５０００ｍ）の難燃性ケーブル６を巻き付ける。難燃性ケーブル６は、難燃性を持たせるために、ポリエチレン樹脂に水酸化マグネシウム（Ｍｇ（ＯＨ）２）を添加した外被を有するケーブルである。
【００１９】
（第三工程）
図４は、図３の状態の木製ドラム１に対して、難燃性ケーブル６の表面に乾燥材７を貼り付けた後の状態を示す図である。
前記第二工程により木製ドラム１に巻き付けた難燃性ケーブル６の表面に、図４に示すように、乾燥材７（例えば、１００ｇ程度のシリカゲルを入れた袋）を、複数箇所（例えば８〜１０箇所程度）にそれぞれ貼り付ける。さらに、図５に示すように、防水シート８（例えば、ポリエチレン製の防水シート）により、木製ドラム１に巻き付けた難燃性ケーブル６および乾燥材７と、両側の鍔部３の少なくとも内側の面３ａとを覆う。なお、鍔部３の外側の面３ｂの一部も防水シート８で覆うようにしてもよい。
【００２０】
（第四工程）
図６は、図５の状態の木製ドラム１に対して、小割板９で覆われて梱包が完了した状態を示す図である。
図６に示すように、図５で示した状態の木製ドラム１に対し、両側の鍔部３の径方向の端部に、周方向へわたって複数の小割板９を釘等で打ち付けるなどして取り付ける。これにより、木製ドラム１の胴部２に巻き付けられた難燃性ケーブル６の表面およびそれを覆う防水シート８が外部に露出しないように小割板９で覆われた状態（梱包が完了した状態）となる。
【００２１】
以上詳述した本実施形態の難燃性ケーブルの梱包方法によれば、木製ドラム１の胴部２の表面２ａと鍔部３の内側の面３ａとに発泡体からなる防水部材４が貼りつけられているので、木製ドラム１に含まれる水分が、難燃性ケーブル６を巻き付ける部分に出てくることを防止できる。
【００２２】
また、難燃性ケーブル６の上から防水シート８を巻き付けた状態となるので、大気中の水分が結露し、難燃性ケーブル６の表面に付着するのを防止することができる。また、防水シート８と難燃性ケーブル６と間に乾燥材７が入れられているので、防水シート８内を乾燥した状態に保つことができる。これにより、安価な方法で、難燃性ケーブル６を出荷する際に巻く木製ドラム１に含まれる水分、大気中の水分が結露し、難燃性ケーブル６の表面に付着するのを防止することができる。
【００２３】
また、防水部材４の発泡体を架橋ポリエチレン発泡体とすることにより、良好な防水性を発揮することができる。
【００２４】
［実施例］
（実施例の梱包方法）
実施例の梱包方法では、木製ドラム１（図１参照）のサイズが、鍔部３の径が２４００ｍｍ、胴部２の径が１２００ｍｍ、内幅が１０２０ｍｍ、外幅が１２００ｍｍのものを使用した。なお、上記内幅とは、一方の鍔部３の内側の面３ａから他方の鍔部３の内側の面３ａまでの長さである。また、外幅とは、一方の鍔部３の外側の面３ｂから他方の鍔部３の外側の面３ｂまでの長さである。
【００２５】
図１に示した木製ドラム１に対して、第一工程の手順により、胴部２の表面２ａおよび鍔部３の内側の面３ａに５ｍｍ厚のシート状の防水部材（架橋ポリエチレン発泡体）を貼りつけた（図２参照）。
次に、第二工程の手順により、外被に対しポリエチレン樹脂に水酸化マグネシウム（Ｍｇ（ＯＨ）２）が添加された長さ５０００ｍの難燃性ケーブル６を、木製ドラム１に巻き付けた（図３参照）。
次に、第三工程の手順により、難燃性ケーブル６の表面に、乾燥材７として１００ｇ程度のシリカゲルを入れた袋を、１袋ずつ１０箇所にそれぞれ貼り付け、その上をポリエチレン製の防水シート７で覆った（図４、図５参照）。
次に、第四工程の手順により、木製ドラム１を小割板９で覆われた状態とした（図６参照）。
【００２６】
（比較例の梱包方法）
比較例の梱包方法では、図１に示した木製ドラム１（サイズは実施例のドラム１と同じもの）に対して、防水部材４を貼り付けずに、実施例と同じ材質で長さが等しい難燃性ケーブル６を巻き付け、両側の鍔部３の径方向の端部に、周方向へわたって複数の小割板９を取り付けて覆った。
【００２７】
上記実施例の梱包方法によって木製ドラム１に巻かれた難燃性ケーブル６と、上記比較例の梱包方法によって木製ドラム１に巻かれた難燃性ケーブル６とを、それぞれ船舶に搭載して、（船内およびコンテナ内が高温、高湿度状態となる）赤道を越えるルートで輸送を行った後、難燃性ケーブル６の表面の白化率（外被に白化が生じる確率）を調べた。その結果、比較例の梱包方法によって木製ドラム１に巻かれた難燃性ケーブル６の白化率は１００％であったのに対し、実施例の梱包方法によって木製ドラム１に巻かれた難燃性ケーブル６の白化率は０％であった。
【符号の説明】
【００２８】
１  木製ドラム
２  胴部
２ａ  胴部の表面
３  鍔部
３ａ  内側の面
３ｂ  外側の面
４  防水部材
５  ガラステープ
６  難燃性ケーブル
７  乾燥材
８  防水シート
９  小割板
【図１】
0006610015.tif 000002
【図２】
0006610015.tif 000003
【図３】
0006610015.tif 000004
【図４】
0006610015.tif 000005
【図５】
0006610015.tif 000006
【図６】
0006610015.tif 000007